(57)【特許請求の範囲】
【請求項１】
データを送信する送信端末から前記データを中継する送信側中継装置と、
前記データを受信する受信端末へ前記データを中継する受信側中継装置と、
前記送信側中継装置での中継における帯域制御を行なう送信側帯域制御装置と、
前記受信側中継装置での中継における帯域制御を行なう受信側帯域制御装置と、
前記送信端末から前記受信端末への通信における帯域制限値を増加させるにあたり、前記受信側帯域制御装置での帯域制限値を増加させた後に、前記送信側帯域制御装置での帯域制限値を増加させる帯域制限値増加装置と、
を備えることを特徴とする帯域制御システム。
【請求項２】
前記帯域制限値増加装置は、
前記送信端末から前記受信端末への通信における帯域制限値を増加させるにあたり、
前記送信側帯域制御装置を通過したフレームが、前記受信側帯域制御装置において破棄されることを防止する
ことを特徴とする請求項１に記載の帯域制御システム。
【請求項３】
データを送信する送信端末から前記データを中継する送信側中継装置と、
前記データを受信する受信端末へ前記データを中継する受信側中継装置と、
前記送信側中継装置での中継における帯域制御を行なう送信側帯域制御装置と、
前記受信側中継装置での中継における帯域制御を行なう受信側帯域制御装置と、
前記送信端末から前記受信端末への通信における帯域制限値を減少させるにあたり、前記送信側帯域制御装置での帯域制限値を減少させた後に、前記受信側帯域制御装置での帯域制限値を減少させる帯域制限値減少装置と、
を備えることを特徴とする帯域制御システム。
【請求項４】
前記帯域制限値減少装置は、
前記送信端末から前記受信端末への通信における帯域制限値を減少させるにあたり、
前記送信側帯域制御装置での帯域制限値を減少させた後、前記送信端末から前記受信端末への通信時間と同じ時間が経過した後に、前記受信側帯域制御装置での帯域制限値を減少させる
ことを特徴とする請求項３に記載の帯域制御システム。
【請求項５】
第１通信端末及び第２通信端末を送受信端末とする第１送受信システムにおいて、送信端末からデータを中継する第１送信側中継装置での中継における帯域制御を行なう第１送信側帯域制御装置と、
前記第１送受信システムにおいて、受信端末へデータを中継する第１受信側中継装置での中継における帯域制御を行なう第１受信側帯域制御装置と、
前記第１通信端末及び第３通信端末を送受信端末とする第２送受信システムにおいて、送信端末からデータを中継する第２送信側中継装置での中継における帯域制御を行なう第２送信側帯域制御装置と、
前記第２送受信システムにおいて、受信端末へデータを中継する第２受信側中継装置での中継における帯域制御を行なう第２受信側帯域制御装置と、
前記第１送受信システムにおいて、送信端末から受信端末への通信における帯域制限値を減少させるにあたり、前記第１送信側帯域制御装置での帯域制限値を減少させた後に、前記第１受信側帯域制御装置での帯域制限値を減少させる帯域制限値減少装置と、
前記第２送受信システムにおいて、送信端末から受信端末への通信における帯域制限値を増加させるにあたり、前記第２受信側帯域制御装置での帯域制限値を増加させた後に、前記第２送信側帯域制御装置での帯域制限値を増加させる帯域制限値増加装置と、
前記第１送受信システムにおいて、送信端末から受信端末への通信における帯域制限値の減少を前記帯域制限値減少装置に行なわせた後に、前記第２送受信システムにおいて、送信端末から受信端末への通信における帯域制限値の増加を前記帯域制限値増加装置に行なわせる帯域制限値設定順序決定装置と、
を備えることを特徴とする帯域制御システム。
【請求項６】
データを送信する送信端末から前記データを受信する受信端末への通信における帯域制限値を増加させるにあたり、前記受信端末へ前記データを中継する受信側中継装置での中継における帯域制限値を増加させた後に、前記送信端末から前記データを中継する送信側中継装置での中継における帯域制限値を増加させることを特徴とする帯域制限値設定装置。
【請求項７】
前記送信端末から前記受信端末への通信における帯域制限値を増加させるにあたり、
前記送信側中継装置を通過したフレームが、前記受信側中継装置において破棄されることを防止する
ことを特徴とする請求項６に記載の帯域制限値設定装置。
【請求項８】
データを送信する送信端末から前記データを受信する受信端末への通信における帯域制限値を減少させるにあたり、前記送信端末から前記データを中継する送信側中継装置での中継における帯域制限値を減少させた後に、前記受信端末へ前記データを中継する受信側中継装置での中継における帯域制限値を減少させることを特徴とする帯域制限値設定装置。
【請求項９】
前記送信端末から前記受信端末への通信における帯域制限値を減少させるにあたり、
前記送信側中継装置での中継における帯域制限値を減少させた後、前記送信端末から前記受信端末への通信時間と同じ時間が経過した後に、前記受信側中継装置での中継における帯域制限値を減少させる
ことを特徴とする請求項８に記載の帯域制限値設定装置。
【請求項１０】
第１通信端末及び第２通信端末を送受信端末とする第１送受信システムにおいて、送信端末から受信端末への通信における帯域制限値を減少させるにあたり、送信端末からデータを中継する送信側中継装置での中継における帯域制限値を減少させた後に、受信端末へデータを中継する受信側中継装置での中継における帯域制限値を減少させる帯域制限値減少部と、
前記第１通信端末及び第３通信端末を送受信端末とする第２送受信システムにおいて、送信端末から受信端末への通信における帯域制限値を増加させるにあたり、受信端末へデータを中継する受信側中継装置での中継における帯域制限値を増加させた後に、送信端末からデータを中継する送信側中継装置での中継における帯域制限値を増加させる帯域制限値増加部と、
前記第１送受信システムにおいて、送信端末から受信端末への通信における帯域制限値の減少を前記帯域制限値減少部に行なわせた後に、前記第２送受信システムにおいて、送信端末から受信端末への通信における帯域制限値の増加を前記帯域制限値増加部に行なわせる帯域制限値設定順序決定部と、
を備えることを特徴とする帯域制限値設定装置。
【請求項１１】
コンピュータに、
データを受信する受信端末へ前記データを中継する受信側中継装置での中継における帯域制限値を増加させる受信側帯域制限値増加手順と、
前記データを送信する送信端末から前記データを中継する送信側中継装置での中継における帯域制限値を増加させる送信側帯域制限値増加手順と、
を順に実行させるための帯域制限値設定プログラム。
【請求項１２】
前記受信側帯域制限値増加手順では、
前記送信端末から前記受信端末への通信における帯域制限値を増加させるにあたり、
前記送信側中継装置を通過したフレームが、前記受信側中継装置において破棄されることを防止するよう、前記受信側中継装置での中継における帯域制限値を増加させる
ことを特徴とする請求項１１に記載の帯域制限値設定プログラム。
【請求項１３】
コンピュータに、
データを送信する送信端末から前記データを中継する送信側中継装置での中継における帯域制限値を減少させる送信側帯域制限値減少手順と、
前記データを受信する受信端末へ前記データを中継する受信側中継装置での中継における帯域制限値を減少させる受信側帯域制限値減少手順と、
を順に実行させるための帯域制限値設定プログラム。
【請求項１４】
前記送信側帯域制限値減少手順を実行させた後、前記送信端末から前記受信端末への通信時間と同じ時間が経過した後に、前記受信側帯域制限値減少手順を実行させる
ことを特徴とする請求項１３に記載の帯域制限値設定プログラム。
【請求項１５】
コンピュータに、
第１通信端末及び第２通信端末を送受信端末とする第１送受信システムにおいて、送信端末から受信端末への通信における帯域制限値を減少させるにあたり、送信端末からデータを中継する送信側中継装置での中継における帯域制限値を減少させた後に、受信端末へデータを中継する受信側中継装置での中継における帯域制限値を減少させる帯域制限値減少手順と、
前記第１通信端末及び第３通信端末を送受信端末とする第２送受信システムにおいて、送信端末から受信端末への通信における帯域制限値を増加させるにあたり、受信端末へデータを中継する受信側中継装置での中継における帯域制限値を増加させた後に、送信端末からデータを中継する送信側中継装置での中継における帯域制限値を増加させる帯域制限値増加手順と、
を順に実行させるための帯域制限値設定プログラム。
【発明の詳細な説明】
【技術分野】
【０００１】
本発明は、帯域制限値を増減させるにあたり不適切なフレーム廃棄を防止するための帯域制御システム、帯域制限値設定装置及び帯域制限値設定プログラムに関する。
【背景技術】
【０００２】
通信回線の帯域を有効に利用するために、トラフィックが多いときには通信回線の契約帯域を増加させ、トラフィックが少ないときには通信回線の契約帯域を減少させるなど、通信回線の契約帯域を柔軟に増減させる必要性が高まっている。特許文献１では、ＡＴＭ伝送方式のＵＰＣ機能を利用した帯域制御システムが開示されている。非特許文献１では、各ポートが有する帯域制御機能が開示されている。
【０００３】
図１は、特許文献１の帯域制御システムを示す図である。図１の帯域制御システムは、端末Ｔ１、Ｔ２、ネットワークＮ１及び帯域制御装置Ｂ１から構成されている。ネットワークＮ１は、ＡＴＭスイッチＳＷ１、ＳＷ２、ＳＷ３、ＳＷ４及びバーチャルパスＶから構成されている。端末Ｔ１、Ｔ２は、ＡＴＭスイッチＳＷ１、ＳＷ２、ＳＷ３、ＳＷ４及びバーチャルパスＶを介して接続されている。端末Ｔ１、Ｔ２にそれぞれ接続されたＡＴＭスイッチＳＷ１、ＳＷ４は、ネットワークＮ１への入力側にそれぞれＵＰＣ機能を有している。ＡＴＭスイッチＳＷ１、ＳＷ４がそれぞれ有するＵＰＣ機能は、帯域制御装置Ｂ１により帯域制限値をあらかじめ設定され、ネットワークＮ１に入力されるトラフィックを監視し、トラフィックが帯域制限値を超えたときには、トラフィックが帯域制限値を超えた分だけフレームを破棄する。
【０００４】
近年は広域イーサネット（登録商標）ネットワークの利用が増加しているところ、特許文献１の帯域制御システムは、送受信装置間のネットワークのみならず、送受信装置間のネットワークの集合体であるマルチポイント型のネットワークでも適用することができる。図２は、中継ネットワークが単数個である帯域制御システムを示す図である。図３は、中継ネットワークが複数個である帯域制御システムを示す図である。
【０００５】
図２の帯域制御システムは、端末Ｔ３、Ｔ４、Ｔ５、中継ネットワークＮ２、帯域制御装置Ｂ２及び監視制御用ネットワークＣＮ１から構成されている。中継ネットワークＮ２は、スイッチＳＷ５、ＳＷ６、ＳＷ７、ＳＷ８から構成されている。端末Ｔ３、Ｔ４、Ｔ５は、図２に示した以上のスイッチを介して接続されている。監視制御用ネットワークＣＮ１を介して、帯域制御装置Ｂ２及び図２に示した以上のスイッチの間で、帯域制限値を設定するための制御信号が伝送される。
【０００６】
図３の帯域制御システムは、端末Ｔ６、Ｔ７、Ｔ８、Ｔ９、中継ネットワークＮ３、Ｎ４、Ｎ５、Ｎ６、帯域制御装置Ｂ３及び監視制御用ネットワークＣＮ２から構成されている。中継ネットワークＮ３は、スイッチＳＷ９、ＳＷ１０、ＳＷ１１、ＳＷ１２から構成されている。中継ネットワークＮ４は、スイッチＳＷ１７、ＳＷ１８、ＳＷ１９から構成されている。中継ネットワークＮ５は、スイッチＳＷ２０から構成されている。中継ネットワークＮ６は、スイッチＳＷ１３、ＳＷ１４、ＳＷ１５、ＳＷ１６から構成されている。端末Ｔ６、Ｔ７、Ｔ８、Ｔ９は、図３に示した以上のスイッチを介して接続されている。監視制御用ネットワークＣＮ２を介して、帯域制御装置Ｂ３及び図３に示した以上のスイッチの間で、帯域制限値を設定するための制御信号が伝送される。
【先行技術文献】
【特許文献】
【０００７】
【特許文献１】特開２０００−６９０３９号公報
【非特許文献】
【０００８】
【非特許文献１】阿留多伎明良編著、“広域イーサネット（登録商標）技術概論”、電気情報通信学会、ＩＳＢＮ：９７８−４−８８５５２−２１１−６．
【発明の概要】
【発明が解決しようとする課題】
【０００９】
図２及び図３の帯域制御システムにおいては、帯域制御装置Ｂ２、Ｂ３により帯域制限値が変更される過渡状態において、フレームが不適切に破棄されることがありうる。この問題について、簡単のため図２の帯域制御システムを用いて説明する。
【００１０】
まず、帯域制御装置Ｂ２により帯域制限値が増加されるときについて説明する。このとき、スイッチＳＷ５、ＳＷ６、ＳＷ８において帯域制限値が増加される必要がある。そして、最初にスイッチＳＷ５において帯域制限値が増加され、最後にスイッチＳＷ６において帯域制限値が増加されることがありうる。このとき、端末Ｔ３から端末Ｔ４にデータが送信されるにあたり、スイッチＳＷ５ではトラフィックが増加後の帯域制限値を超えずフレームが通過するが、スイッチＳＷ６ではトラフィックが増加前の帯域制限値を超えてフレームが破棄されることがありうる。
【００１１】
次に、帯域制御装置Ｂ２により帯域制限値が減少されるときについて説明する。このとき、スイッチＳＷ５、ＳＷ６、ＳＷ８において帯域制限値が減少される必要がある。そして、最初にスイッチＳＷ６において帯域制限値が減少され、最後にスイッチＳＷ５において帯域制限値が減少されることがありうる。このとき、端末Ｔ３から端末Ｔ４にデータが送信されるにあたり、スイッチＳＷ５ではトラフィックが減少前の帯域制限値を超えずフレームが通過するが、スイッチＳＷ６ではトラフィックが減少後の帯域制限値を超えてフレームが破棄されることがありうる。
【００１２】
ここで、フレームを通信事業者網から出力する帯域制限機能にてフレームが破棄される状況は、帯域制限値が変更されるときに発生するのみならず、複数の送受信経路が合流して帯域制限値を越えるときやネットワークに障害が発生し、トラヒックが輻輳したときにも発生する。つまり、帯域制限機能でのフレームの破棄が、帯域制限値の変更、複数の送受信経路の合流及びネットワークの障害のうち、いずれを原因とするものであるか、通信事業者にとって判別することが難しい。よって、帯域制限値の変更時には不要なフレーム廃棄を発生させないことが望ましい。このようなフレームの破棄は、設定変更時に過渡的に発生し、入力トラヒックの帯域契約違反による適切な破棄ではないにもかかわらず、通信事業者にとってフレーム廃棄原因の特定が困難で、運用者に混乱をきたす不適切な破棄である。
【００１３】
そこで、前記課題を解決するために、本発明は、帯域制限値を増減させるにあたり不適切なフレーム廃棄を防止するための技術を提供することを目的とする。
【課題を解決するための手段】
【００１４】
上記目的を達成するために、送信端末から受信端末への通信における帯域制限値を増加させるにあたり、受信端末へデータを中継する受信側中継装置での中継における帯域制限値を増加させた後に、送信端末からデータを中継する送信側中継装置での中継における帯域制限値を増加させるようにした。また、送信端末から受信端末への通信における帯域制限値を減少させるにあたり、送信端末からデータを中継する送信側中継装置での中継における帯域制限値を減少させた後に、受信端末へデータを中継する受信側中継装置での中継における帯域制限値を減少させるようにした。
【００１５】
具体的には、本発明は、データを送信する送信端末から前記データを中継する送信側中継装置と、前記データを受信する受信端末へ前記データを中継する受信側中継装置と、前記送信側中継装置での中継における帯域制御を行なう送信側帯域制御装置と、前記受信側中継装置での中継における帯域制御を行なう受信側帯域制御装置と、前記送信端末から前記受信端末への通信における帯域制限値を増加させるにあたり、前記受信側帯域制御装置での帯域制限値を増加させた後に、前記送信側帯域制御装置での帯域制限値を増加させる帯域制限値増加装置と、を備えることを特徴とする帯域制御システムである。
【００１６】
この構成によれば、送信端末から受信端末への通信における帯域制限値を増加させるにあたり、送信側帯域制御装置においてフレームが通過したが受信側帯域制御装置においてフレームが破棄されたという、不適切なフレーム廃棄を防止することができる。
【００１７】
また、本発明は、データを送信する送信端末から前記データを中継する送信側中継装置と、前記データを受信する受信端末へ前記データを中継する受信側中継装置と、前記送信側中継装置での中継における帯域制御を行なう送信側帯域制御装置と、前記受信側中継装置での中継における帯域制御を行なう受信側帯域制御装置と、前記送信端末から前記受信端末への通信における帯域制限値を減少させるにあたり、前記送信側帯域制御装置での帯域制限値を減少させた後に、前記受信側帯域制御装置での帯域制限値を減少させる帯域制限値減少装置と、を備えることを特徴とする帯域制御システムである。
【００１８】
この構成によれば、送信端末から受信端末への通信における帯域制限値を減少させるにあたり、送信側帯域制御装置においてフレームが通過したが受信側帯域制御装置においてフレームが破棄されたという、不適切なフレーム廃棄を防止することができる。
【００１９】
また、本発明は、第１通信端末及び第２通信端末を送受信端末とする第１送受信システムにおいて、送信端末からデータを中継する第１送信側中継装置での中継における帯域制御を行なう第１送信側帯域制御装置と、前記第１送受信システムにおいて、受信端末へデータを中継する第１受信側中継装置での中継における帯域制御を行なう第１受信側帯域制御装置と、前記第１通信端末及び第３通信端末を送受信端末とする第２送受信システムにおいて、送信端末からデータを中継する第２送信側中継装置での中継における帯域制御を行なう第２送信側帯域制御装置と、前記第２送受信システムにおいて、受信端末へデータを中継する第２受信側中継装置での中継における帯域制御を行なう第２受信側帯域制御装置と、前記第１送受信システムにおいて、送信端末から受信端末への通信における帯域制限値を減少させるにあたり、前記第１送信側帯域制御装置での帯域制限値を減少させた後に、前記第１受信側帯域制御装置での帯域制限値を減少させる帯域制限値減少装置と、前記第２送受信システムにおいて、送信端末から受信端末への通信における帯域制限値を増加させるにあたり、前記第２受信側帯域制御装置での帯域制限値を増加させた後に、前記第２送信側帯域制御装置での帯域制限値を増加させる帯域制限値増加装置と、前記第１送受信システムにおいて、送信端末から受信端末への通信における帯域制限値の減少を前記帯域制限値減少装置に行なわせた後に、前記第２送受信システムにおいて、送信端末から受信端末への通信における帯域制限値の増加を前記帯域制限値増加装置に行なわせる帯域制限値設定順序決定装置と、を備えることを特徴とする帯域制御システムである。
【００２０】
この構成によれば、第１送受信システムにおける帯域制限値の減少を第２送受信システムにおける帯域制限値の増加より先に行なうため、第２送受信システムにおける帯域制限値の増加を第１送受信システムにおける帯域制限値の減少より先に行なうより、第１送信側中継装置及び第１受信側中継装置の帯域制限値を過度に大きくしないで済ませることができる。
【００２１】
また、本発明は、データを送信する送信端末から前記データを受信する受信端末への通信における帯域制限値を増加させるにあたり、前記受信端末へ前記データを中継する受信側中継装置での中継における帯域制限値を増加させた後に、前記送信端末から前記データを中継する送信側中継装置での中継における帯域制限値を増加させることを特徴とする帯域制限値設定装置である。
【００２２】
この構成によれば、送信端末から受信端末への通信における帯域制限値を増加させるにあたり、送信側帯域制御装置においてフレームが通過したが受信側帯域制御装置においてフレームが破棄されたという、不適切なフレーム廃棄を防止することができる。
【００２３】
また、本発明は、データを送信する送信端末から前記データを受信する受信端末への通信における帯域制限値を減少させるにあたり、前記送信端末から前記データを中継する送信側中継装置での中継における帯域制限値を減少させた後に、前記受信端末へ前記データを中継する受信側中継装置での中継における帯域制限値を減少させることを特徴とする帯域制限値設定装置である。
【００２４】
この構成によれば、送信端末から受信端末への通信における帯域制限値を減少させるにあたり、送信側帯域制御装置においてフレームが通過したが受信側帯域制御装置においてフレームが破棄されたという、不適切なフレーム廃棄を防止することができる。
【００２５】
また、本発明は、第１通信端末及び第２通信端末を送受信端末とする第１送受信システムにおいて、送信端末から受信端末への通信における帯域制限値を減少させるにあたり、送信端末からデータを中継する送信側中継装置での中継における帯域制限値を減少させた後に、受信端末へデータを中継する受信側中継装置での中継における帯域制限値を減少させる帯域制限値減少部と、前記第１通信端末及び第３通信端末を送受信端末とする第２送受信システムにおいて、送信端末から受信端末への通信における帯域制限値を増加させるにあたり、受信端末へデータを中継する受信側中継装置での中継における帯域制限値を増加させた後に、送信端末からデータを中継する送信側中継装置での中継における帯域制限値を増加させる帯域制限値増加部と、前記第１送受信システムにおいて、送信端末から受信端末への通信における帯域制限値の減少を前記帯域制限値減少部に行なわせた後に、前記第２送受信システムにおいて、送信端末から受信端末への通信における帯域制限値の増加を前記帯域制限値増加部に行なわせる帯域制限値設定順序決定部と、を備えることを特徴とする帯域制限値設定装置である。
【００２６】
この構成によれば、第１送受信システムにおける帯域制限値の減少を第２送受信システムにおける帯域制限値の増加より先に行なうため、第２送受信システムにおける帯域制限値の増加を第１送受信システムにおける帯域制限値の減少より先に行なうより、第１送信側中継装置及び第１受信側中継装置の帯域制限値を過度に大きくしないで済ませることができる。
【００２７】
また、本発明は、コンピュータに、データを受信する受信端末へ前記データを中継する受信側中継装置での中継における帯域制限値を増加させる受信側帯域制限値増加手順と、前記データを送信する送信端末から前記データを中継する送信側中継装置での中継における帯域制限値を増加させる送信側帯域制限値増加手順と、を順に実行させるための帯域制限値設定プログラムである。
【００２８】
この構成によれば、送信端末から受信端末への通信における帯域制限値を増加させるにあたり、送信側帯域制御装置においてフレームが通過したが受信側帯域制御装置においてフレームが破棄されたという、不適切なフレーム廃棄を防止することができる。
【００２９】
また、本発明は、コンピュータに、データを送信する送信端末から前記データを中継する送信側中継装置での中継における帯域制限値を減少させる送信側帯域制限値減少手順と、前記データを受信する受信端末へ前記データを中継する受信側中継装置での中継における帯域制限値を減少させる受信側帯域制限値減少手順と、を順に実行させるための帯域制限値設定プログラムである。
【００３０】
この構成によれば、送信端末から受信端末への通信における帯域制限値を減少させるにあたり、送信側帯域制御装置においてフレームが通過したが受信側帯域制御装置においてフレームが破棄されたという、不適切なフレーム廃棄を防止することができる。
【００３１】
また、本発明は、コンピュータに、第１通信端末及び第２通信端末を送受信端末とする第１送受信システムにおいて、送信端末から受信端末への通信における帯域制限値を減少させるにあたり、送信端末からデータを中継する送信側中継装置での中継における帯域制限値を減少させた後に、受信端末へデータを中継する受信側中継装置での中継における帯域制限値を減少させる帯域制限値減少手順と、前記第１通信端末及び第３通信端末を送受信端末とする第２送受信システムにおいて、送信端末から受信端末への通信における帯域制限値を増加させるにあたり、受信端末へデータを中継する受信側中継装置での中継における帯域制限値を増加させた後に、送信端末からデータを中継する送信側中継装置での中継における帯域制限値を増加させる帯域制限値増加手順と、を順に実行させるための帯域制限値設定プログラムである。
【００３２】
この構成によれば、第１送受信システムにおける帯域制限値の減少を第２送受信システムにおける帯域制限値の増加より先に行なうため、第２送受信システムにおける帯域制限値の増加を第１送受信システムにおける帯域制限値の減少より先に行なうより、第１送信側中継装置及び第１受信側中継装置の帯域制限値を過度に大きくしないで済ませることができる。
【発明の効果】
【００３３】
本発明は、帯域制限値を増減させるにあたり不適切なフレーム廃棄を防止するための技術を提供することができる。
【図面の簡単な説明】
【００３４】
【図１】特許文献１の帯域制御システムを示す図である。
【図２】中継ネットワークが単数個である帯域制御システムを示す図である。
【図３】中継ネットワークが複数個である帯域制御システムを示す図である。
【図４】実施形態１の帯域制御システムを示す図である。
【図５】実施形態１の帯域制御システムの処理を示すフローチャートである。
【図６】実施形態２の帯域制御システムを示す図である。
【図７】実施形態２の帯域制御システムの処理を示すフローチャートである。
【図８】実施形態３の帯域制御システムを示す図である。
【図９】実施形態３の帯域制御システムの処理を示す図である。
【図１０】実施形態４の帯域制御システムを示す図である。
【図１１】実施形態４の帯域制御システムの処理を示す図である。
【図１２】実施形態５の帯域制御システムを示す図である。
【図１３】実施形態５の帯域制御システムの処理を示す図である。
【図１４】実施形態７の帯域制御システムを示す図である。
【図１５】実施形態７の帯域制御システムの処理を示す図である。
【図１６】実施形態７の帯域制御システムの処理を示す図である。
【図１７】実施形態８の帯域制御システムを示す図である。
【図１８】実施形態８の帯域制御システムの処理を示す図である。
【図１９】実施形態８の帯域制御システムの処理を示す図である。
【発明を実施するための形態】
【００３５】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３６】
（実施形態１）
図４は、実施形態１の帯域制御システムを示す図である。図４の帯域制御システムは、端末Ｔ１０、Ｔ１１、スイッチ１、２及び帯域制限値増加装置３から構成されている。端末Ｔ１０は、データを送信する送信端末として機能する。端末Ｔ１１は、データを受信する受信端末として機能する。スイッチ１は、端末Ｔ１０からデータを中継する送信側中継装置として機能する。スイッチ２は、端末Ｔ１１へデータを中継する受信側中継装置として機能する。スイッチ１は、スイッチ１での中継における帯域制御を行なう送信側帯域制御装置１１を有している。スイッチ２は、スイッチ２での中継における帯域制御を行なう受信側帯域制御装置２１を有している。帯域制限値増加装置３は、端末Ｔ１０から端末Ｔ１１への通信における帯域制限値を増加させるにあたり、受信側帯域制御装置２１での帯域制限値を増加させた後に、送信側帯域制御装置１１での帯域制限値を増加させる。帯域制限値増加装置３は、以上の処理のためのプログラムをインストールされている。
【００３７】
図５は、実施形態１の帯域制御システムの処理を示すフローチャートである。図４（ａ）に示したように、端末Ｔ１０から端末Ｔ１１への通信における帯域制限値を、５Ｍｂｉｔ／ｓから１０Ｍｂｉｔ／ｓに増加させることが目標である。帯域制限値増加装置３は、帯域制限値を増加させるべきスイッチとして、スイッチ１、２を選択する（ステップＳ１）。帯域制限値増加装置３は、選択したスイッチ１、２において、帯域制限値を増加させることができるかどうかを判断する（ステップＳ２）。帯域制限値増加装置３は、選択したスイッチ１、２のいずれにおいても、帯域制限値を増加させることができることを判断したときには（ステップＳ２においてＹＥＳ）、ステップＳ３に進む。帯域制限値増加装置３は、選択したスイッチ１、２のいずれかにおいて、帯域制限値を増加させることができないことを判断したときには（ステップＳ２においてＮＯ）、端末Ｔ１０に対して、エラー表示を出力する（ステップＳ５）。
【００３８】
帯域制限値増加装置３がステップＳ３に進むところから説明する。まず、帯域制限値増加装置３は、受信側のスイッチ２において、受信側帯域制御装置２１での帯域制限値を増加させる（ステップＳ３）。ここでは、図４（ｂ）に示したように、帯域制限値増加装置３は、受信側帯域制御装置２１での帯域制限値を、５Ｍｂｉｔ／ｓから１０Ｍｂｉｔ／ｓに増加させる。次に、帯域制限値増加装置３は、送信側のスイッチ１において、送信側帯域制御装置１１での帯域制限値を増加させる（ステップＳ４）。ここでは、図４（ｃ）に示したように、帯域制限値増加装置３は、送信側帯域制御装置１１での帯域制限値を、５Ｍｂｉｔ／ｓから１０Ｍｂｉｔ／ｓに増加させる。以上のように、端末Ｔ１０から端末Ｔ１１への通信における帯域制限値を、５Ｍｂｉｔ／ｓから１０Ｍｂｉｔ／ｓに増加させる。
【００３９】
ステップＳ３の完了時点では、受信側のスイッチ２において帯域制限値が増加されているが、送信側のスイッチ１において帯域制限値が増加されていない。そのため、送信側の端末Ｔ１０が受信側の端末Ｔ１１に容量の大きいデータを送信するにあたり、送信側のスイッチ１ではフレームが破棄されることはありうるが、受信側のスイッチ２ではフレームが破棄されることはない。送信側のスイッチ１ではフレームが破棄されることがありうるとしても、送信側のユーザは帯域契約を違反しているため、送信側のスイッチ１でのフレームの破棄は不適切なフレームの破棄ではない。以上のように、端末Ｔ１０から端末Ｔ１１への通信における帯域制限値を増加させるにあたり、スイッチ１においてフレームが通過したがスイッチ２においてフレームが破棄されたという、不適切なフレーム廃棄を防止することができる。
【００４０】
（実施形態２）
図６は、実施形態２の帯域制御システムを示す図である。図６の帯域制御システムは、端末Ｔ１０、Ｔ１１、スイッチ１、２及び帯域制限値減少装置４から構成されている。端末Ｔ１０は、データを送信する送信端末として機能する。端末Ｔ１１は、データを受信する受信端末として機能する。スイッチ１は、端末Ｔ１０からデータを中継する送信側中継装置として機能する。スイッチ２は、端末Ｔ１１へデータを中継する受信側中継装置として機能する。スイッチ１は、スイッチ１での中継における帯域制御を行なう送信側帯域制御装置１１を有している。スイッチ２は、スイッチ２での中継における帯域制御を行なう受信側帯域制御装置２１を有している。帯域制限値減少装置４は、端末Ｔ１０から端末Ｔ１１への通信における帯域制限値を減少させるにあたり、送信側帯域制御装置１１での帯域制限値を減少させた後に、受信側帯域制御装置２１での帯域制限値を減少させる。帯域制限値減少装置４は、以上の処理のためのプログラムをインストールされている。
【００４１】
図７は、実施形態２の帯域制御システムの処理を示すフローチャートである。図６（ａ）に示したように、端末Ｔ１０から端末Ｔ１１への通信における帯域制限値を、１０Ｍｂｉｔ／ｓから５Ｍｂｉｔ／ｓに減少させることが目標である。帯域制限値減少装置４は、帯域制限値を減少させるべきスイッチとして、スイッチ１、２を選択する（ステップＳ１１）。帯域制限値減少装置４は、選択したスイッチ１、２において、帯域制限値を減少させることができるかどうかを判断する（ステップＳ１２）。帯域制限値減少装置４は、選択したスイッチ１、２のいずれにおいても、帯域制限値を減少させることができることを判断したときには（ステップＳ１２においてＹＥＳ）、ステップＳ１３に進む。帯域制限値減少装置４は、選択したスイッチ１、２のいずれかにおいて、帯域制限値を減少させることができないことを判断したときには（ステップＳ１２においてＮＯ）、端末Ｔ１０に対して、エラー表示を出力する（ステップＳ１５）。
【００４２】
帯域制限値減少装置４がステップＳ１３に進むところから説明する。まず、帯域制限値減少装置４は、送信側のスイッチ１において、送信側帯域制御装置１１での帯域制限値を減少させる（ステップＳ１３）。ここでは、図６（ｂ）に示したように、帯域制限値減少装置４は、送信側帯域制御装置１１での帯域制限値を、１０Ｍｂｉｔ／ｓから５Ｍｂｉｔ／ｓに減少させる。次に、帯域制限値減少装置４は、受信側のスイッチ２において、受信側帯域制御装置２１での帯域制限値を減少させる（ステップＳ１４）。ここでは、図６（ｃ）に示したように、帯域制限値減少装置４は、受信側帯域制御装置２１での帯域制限値を、１０Ｍｂｉｔ／ｓから５Ｍｂｉｔ／ｓに減少させる。以上のように、端末Ｔ１０から端末Ｔ１１への通信における帯域制限値を、１０Ｍｂｉｔ／ｓから５Ｍｂｉｔ／ｓに減少させる。
【００４３】
ステップＳ１３の完了時点では、送信側のスイッチ１において帯域制限値が減少されているが、受信側のスイッチ２において帯域制限値が減少されていない。そのため、送信側の端末Ｔ１０が受信側の端末Ｔ１１に容量の大きいデータを送信するにあたり、送信側のスイッチ１ではフレームが破棄されることはありうるが、受信側のスイッチ２ではフレームが破棄されることはない。送信側のスイッチ１ではフレームが破棄されることがありうるとしても、送信側のユーザは帯域契約を違反しているため、送信側のスイッチ１でのフレームの破棄は不適切なフレームの破棄ではない。以上のように、端末Ｔ１０から端末Ｔ１１への通信における帯域制限値を減少させるにあたり、スイッチ１においてフレームが通過したがスイッチ２においてフレームが破棄されたという、不適切なフレーム廃棄を防止することができる。
【００４４】
ステップＳ１３の完了時点では、送信側の端末Ｔ１０及び受信側の端末Ｔ１１を接続するネットワークにおいて、ステップＳ１３の完了以前に送信されたフレームが滞留していることがありうる。しかし、ステップＳ１３の完了時点では、送信側のスイッチ１において帯域制限値が減少されているが、受信側のスイッチ２において帯域制限値が減少されていない。そのため、ステップＳ１３、Ｓ１４の間において、送信側の端末Ｔ１０から受信側の端末Ｔ１１への通信時間と同程度の時間を確保することにより、ステップＳ１３の完了以前に送信されたフレームがスイッチ１において通過したがスイッチ２において破棄されたという、不適切なフレーム廃棄を防止することができる。
【００４５】
（実施形態３）
図８は、実施形態３の帯域制御システムを示す図である。図８の帯域制御システムは、端末Ｔ１２、Ｔ１３、Ｔ１４、スイッチ５、６、７、帯域制限値増加装置３、帯域制限値減少装置４及び帯域制限値設定順序決定装置８から構成されている。端末Ｔ１２は、第１通信端末として機能する。端末Ｔ１４は、第２通信端末として機能する。端末Ｔ１３は、第３通信端末として機能する。端末Ｔ１２、Ｔ１４は、第１送受信システムを構成する。実施形態３では、端末Ｔ１４が送信端末として機能し、端末Ｔ１２が受信端末として機能するが、変形例として、端末Ｔ１２が送信端末として機能し、端末Ｔ１４が受信端末として機能してもよい。端末Ｔ１２、Ｔ１３は、第２送受信システムを構成する。実施形態３では、端末Ｔ１２が送信端末として機能し、端末Ｔ１３が受信端末として機能するが、変形例として、端末Ｔ１３が送信端末として機能し、端末Ｔ１２が受信端末として機能してもよい。
【００４６】
スイッチ５は、スイッチ５での受信の中継における帯域制御を行なう第１受信側帯域制御装置５１及びスイッチ５での送信の中継における帯域制御を行なう第２送信側帯域制御装置５２を有している。スイッチ６は、スイッチ６での中継における帯域制御を行なう第２受信側帯域制御装置６１を有している。スイッチ７は、スイッチ７での中継における帯域制御を行なう第１送信側帯域制御装置７１を有している。帯域制限値増加装置３は、端末Ｔ１２から端末Ｔ１３への通信における帯域制限値を増加させるにあたり、第２受信側帯域制御装置６１での帯域制限値を増加させた後に、第２送信側帯域制御装置５２での帯域制限値を増加させる。帯域制限値減少装置４は、端末Ｔ１４から端末Ｔ１２への通信における帯域制限値を減少させるにあたり、第１送信側帯域制御装置７１での帯域制限値を減少させた後に、第１受信側帯域制御装置５１での帯域制限値を減少させる。帯域制限値設定順序決定装置８は、端末Ｔ１４から端末Ｔ１２への通信における帯域制限値の減少を帯域制限値減少装置４に行なわせた後に、端末Ｔ１２から端末Ｔ１３への通信における帯域制限値の増加を帯域制限値増加装置３に行なわせる。帯域制限値増加装置３、帯域制限値減少装置４及び帯域制限値設定順序決定装置８は、以上の処理のためのプログラムをインストールされている。
【００４７】
図９は、実施形態３の帯域制御システムの処理を示す図である。図８に示したように、端末Ｔ１２から端末Ｔ１３への通信における帯域制限値を、５Ｍｂｉｔ／ｓから１０Ｍｂｉｔ／ｓに増加させ、端末Ｔ１４から端末Ｔ１２への通信における帯域制限値を、１０Ｍｂｉｔ／ｓから５Ｍｂｉｔ／ｓに減少させることが目標である。
【００４８】
まず、帯域制限値設定順序決定装置８は、端末Ｔ１４から端末Ｔ１２への通信における帯域制限値の減少を、帯域制限値減少装置４に行なわせる。帯域制限値減少装置４は、図７で説明した処理を実行する。つまり、帯域制限値減少装置４は、図９（ａ）に示したように、第１送信側帯域制御装置７１での帯域制限値を、１０Ｍｂｉｔ／ｓから５Ｍｂｉｔ／ｓに減少させた後に、図９（ｂ）に示したように、第１受信側帯域制御装置５１での帯域制限値を、１０Ｍｂｉｔ／ｓから５Ｍｂｉｔ／ｓに減少させる。
【００４９】
次に、帯域制限値設定順序決定装置８は、端末Ｔ１２から端末Ｔ１３への通信における帯域制限値の増加を、帯域制限値増加装置３に行なわせる。帯域制限値増加装置３は、図５で説明した処理を実行する。つまり、帯域制限値増加装置３は、図９（ｃ）に示したように、第２受信側帯域制御装置６１での帯域制限値を、５Ｍｂｉｔ／ｓから１０Ｍｂｉｔ／ｓに増加させた後に、図９（ｄ）に示したように、第２送信側帯域制御装置５２での帯域制限値を、５Ｍｂｉｔ／ｓから１０Ｍｂｉｔ／ｓに増加させる。
【００５０】
第２送受信システムにおける帯域制限値の増加を第１送受信システムにおける帯域制限値の減少より先に行なうときには、第２送受信システムにおける帯域制限値の増加時点におけるスイッチ５の全帯域制限値は１０Ｍｂｉｔ／ｓ＋１０Ｍｂｉｔ／ｓ＝２０Ｍｂｉｔ／ｓとなる。第１送受信システムにおける帯域制限値の減少を第２送受信システムにおける帯域制限値の増加より先に行なうときには、第１送受信システムにおける帯域制限値の減少時点におけるスイッチ５の全帯域制限値は５Ｍｂｉｔ／ｓ＋５Ｍｂｉｔ／ｓ＝１０Ｍｂｉｔ／ｓとなる。実施形態３では、第１送受信システムにおける帯域制限値の減少を第２送受信システムにおける帯域制限値の増加より先に行なうため、第２送受信システムにおける帯域制限値の増加を第１送受信システムにおける帯域制限値の減少より先に行なうより、スイッチ５の全帯域制限値を過度に大きくしないで済ませることができる。
【００５１】
（実施形態４）
図１０は、実施形態４の帯域制御システムを示す図である。図１０の帯域制御システムは、図４の帯域制限値増加装置３として機能する帯域制御装置Ｂ２の処理内容を除いて、図２の帯域制御システムと同様である。ここで、端末Ｔ３、Ｔ５の間の通信における帯域制限値を、５Ｍｂｉｔ／ｓから１０Ｍｂｉｔ／ｓに増加させ、端末Ｔ４、Ｔ５の間の通信における帯域制限値を、１０Ｍｂｉｔ／ｓから２０Ｍｂｉｔ／ｓに増加させることが目標である。つまり、スイッチＳＷ５における送受信方向の帯域制限値を５Ｍｂｉｔ／ｓから１０Ｍｂｉｔ／ｓに増加させ、スイッチＳＷ６における送受信方向の帯域制限値を１０Ｍｂｉｔ／ｓから２０Ｍｂｉｔ／ｓに増加させ、スイッチＳＷ８における送受信方向の帯域制限値を５Ｍｂｉｔ／ｓ＋１０Ｍｂｉｔ／ｓ＝１５Ｍｂｉｔ／ｓから１０Ｍｂｉｔ／ｓ＋２０Ｍｂｉｔ／ｓ＝３０Ｍｂｉｔ／ｓに増加させることが目標である。
【００５２】
図１１は、実施形態４の帯域制御システムの処理を示す図である。図１１（ａ）は、図５のステップＳ３の完了時点での帯域制限値の設定状況を示す。スイッチＳＷ５における受信方向の帯域制限値は、５Ｍｂｉｔ／ｓから１０Ｍｂｉｔ／ｓに増加されている。スイッチＳＷ６における受信方向の帯域制限値は、１０Ｍｂｉｔ／ｓから２０Ｍｂｉｔ／ｓに増加されている。スイッチＳＷ８における受信方向の帯域制限値は、１５Ｍｂｉｔ／ｓから３０Ｍｂｉｔ／ｓに増加されている。スイッチＳＷ５、ＳＷ６、ＳＷ８における送信方向の帯域制限値は、増加されていない。
【００５３】
図１１（ｂ）は、図５のステップＳ４の完了時点での帯域制限値の設定状況を示す。スイッチＳＷ５における送信方向の帯域制限値は、５Ｍｂｉｔ／ｓから１０Ｍｂｉｔ／ｓに増加されている。スイッチＳＷ６における送信方向の帯域制限値は、１０Ｍｂｉｔ／ｓから２０Ｍｂｉｔ／ｓに増加されている。スイッチＳＷ８における送信方向の帯域制限値は、１５Ｍｂｉｔ／ｓから３０Ｍｂｉｔ／ｓに増加されている。
【００５４】
以上のように、マルチポイント型のネットワークにおける、中継ネットワークが単数個である帯域制御システムにおいても、送信端末から受信端末への通信における帯域制限値を増加させるにあたり、送信側のスイッチにおいてフレームが通過したが受信側のスイッチにおいてフレームが破棄されたという、不適切なフレーム廃棄を防止することができる。
【００５５】
（実施形態５）
図１２は、実施形態５の帯域制御システムを示す図である。図１２の帯域制御システムは、図６の帯域制限値減少装置４として機能する帯域制御装置Ｂ２の処理内容を除いて、図２の帯域制御システムと同様である。ここで、端末Ｔ３、Ｔ５の間の通信における帯域制限値を、１０Ｍｂｉｔ／ｓから５Ｍｂｉｔ／ｓに減少させ、端末Ｔ４、Ｔ５の間の通信における帯域制限値を、２０Ｍｂｉｔ／ｓから１０Ｍｂｉｔ／ｓに減少させることが目標である。つまり、スイッチＳＷ５における送受信方向の帯域制限値を１０Ｍｂｉｔ／ｓから５Ｍｂｉｔ／ｓに減少させ、スイッチＳＷ６における送受信方向の帯域制限値を２０Ｍｂｉｔ／ｓから１０Ｍｂｉｔ／ｓに減少させ、スイッチＳＷ８における送受信方向の帯域制限値を１０Ｍｂｉｔ／ｓ＋２０Ｍｂｉｔ／ｓ＝３０Ｍｂｉｔ／ｓから５Ｍｂｉｔ／ｓ＋１０Ｍｂｉｔ／ｓ＝１５Ｍｂｉｔ／ｓに減少させることが目標である。
【００５６】
図１３は、実施形態５の帯域制御システムの処理を示す図である。図１３（ａ）は、図７のステップＳ１３の完了時点での帯域制限値の設定状況を示す。スイッチＳＷ５における送信方向の帯域制限値は、１０Ｍｂｉｔ／ｓから５Ｍｂｉｔ／ｓに減少されている。スイッチＳＷ６における送信方向の帯域制限値は、２０Ｍｂｉｔ／ｓから１０Ｍｂｉｔ／ｓに減少されている。スイッチＳＷ８における送信方向の帯域制限値は、３０Ｍｂｉｔ／ｓから１５Ｍｂｉｔ／ｓに減少されている。スイッチＳＷ５、ＳＷ６、ＳＷ８における受信方向の帯域制限値は、減少されていない。
【００５７】
図１３（ｂ）は、図７のステップＳ１４の完了時点での帯域制限値の設定状況を示す。スイッチＳＷ５における受信方向の帯域制限値は、１０Ｍｂｉｔ／ｓから５Ｍｂｉｔ／ｓに減少されている。スイッチＳＷ６における受信方向の帯域制限値は、２０Ｍｂｉｔ／ｓから１０Ｍｂｉｔ／ｓに減少されている。スイッチＳＷ８における受信方向の帯域制限値は、３０Ｍｂｉｔ／ｓから１５Ｍｂｉｔ／ｓに減少されている。
【００５８】
以上のように、マルチポイント型のネットワークにおける、中継ネットワークが単数個である帯域制御システムにおいても、送信端末から受信端末への通信における帯域制限値を減少させるにあたり、送信側のスイッチにおいてフレームが通過したが受信側のスイッチにおいてフレームが破棄されたという、不適切なフレーム廃棄を防止することができる。
【００５９】
（実施形態６）
実施形態６では、図２において、一の組み合わせの端末間の通信における帯域制限値を増加させるが、他の組み合わせの端末間の通信における帯域制限値を減少させる。帯域制御装置Ｂ２は、図８の帯域制限値増加装置３及び帯域制限値減少装置４として機能する。帯域制御装置Ｂ２は、当該他の組み合わせの端末間の通信における帯域制限値を減少させた後に、当該一の組み合わせの端末間の通信における帯域制限値を増加させる。
【００６０】
以上のように、マルチポイント型のネットワークにおける、中継ネットワークが単数個である帯域制御システムにおいても、帯域制限値を過度に大きくしないで済ませることができる。
【００６１】
（実施形態７）
図１４は、実施形態７の帯域制御システムを示す図である。図１４の帯域制御システムは、図４の帯域制限値増加装置３として機能する帯域制御装置Ｂ３の処理内容を除いて、図３の帯域制御システムと同様である。ここで、端末Ｔ６、Ｔ９の間の通信における帯域制限値を、５Ｍｂｉｔ／ｓから１０Ｍｂｉｔ／ｓに増加させ、端末Ｔ７、Ｔ９の間の通信における帯域制限値を、１０Ｍｂｉｔ／ｓから２０Ｍｂｉｔ／ｓに増加させ、端末Ｔ８、Ｔ９の間の通信における帯域制限値を、１Ｍｂｉｔ／ｓから５Ｍｂｉｔ／ｓに増加させることが目標である。つまり、スイッチＳＷ９における送受信方向の帯域制限値を５Ｍｂｉｔ／ｓから１０Ｍｂｉｔ／ｓに増加させ、スイッチＳＷ１０における送受信方向の帯域制限値を１０Ｍｂｉｔ／ｓから２０Ｍｂｉｔ／ｓに増加させ、スイッチＳＷ１９における送受信方向の帯域制限値を１Ｍｂｉｔ／ｓから５Ｍｂｉｔ／ｓに増加させ、スイッチＳＷ１８における送受信方向の帯域制限値を５Ｍｂｉｔ／ｓ＋１０Ｍｂｉｔ／ｓ＋１Ｍｂｉｔ／ｓ＝１６Ｍｂｉｔ／ｓから１０Ｍｂｉｔ／ｓ＋２０Ｍｂｉｔ／ｓ＋５Ｍｂｉｔ／ｓ＝３５Ｍｂｉｔ／ｓに増加させることが目標である。
【００６２】
図１５及び図１６は、実施形態７の帯域制御システムの処理を示す図である。図１５は、図５のステップＳ３の完了時点での帯域制限値の設定状況を示す。スイッチＳＷ９における受信方向の帯域制限値は、５Ｍｂｉｔ／ｓから１０Ｍｂｉｔ／ｓに増加されている。スイッチＳＷ１０における受信方向の帯域制限値は、１０Ｍｂｉｔ／ｓから２０Ｍｂｉｔ／ｓに増加されている。スイッチＳＷ１９における受信方向の帯域制限値は、１Ｍｂｉｔ／ｓから５Ｍｂｉｔ／ｓに増加されている。スイッチＳＷ１８における受信方向の帯域制限値は、１６Ｍｂｉｔ／ｓから３５Ｍｂｉｔ／ｓに増加されている。スイッチＳＷ９、ＳＷ１０、ＳＷ１９、ＳＷ１８における送信方向の帯域制限値は、増加されていない。
【００６３】
ここで、端末Ｔ６、Ｔ９の間の通信における帯域制限値が５Ｍｂｉｔ／ｓから１０Ｍｂｉｔ／ｓに増加され、端末Ｔ７、Ｔ９の間の通信における帯域制限値が１０Ｍｂｉｔ／ｓから２０Ｍｂｉｔ／ｓに増加されることを考慮して、スイッチＳＷ１２、ＳＷ１３、ＳＷ１６、ＳＷ１７における両方向の帯域制限値が５Ｍｂｉｔ／ｓ＋１０Ｍｂｉｔ／ｓ＝１５Ｍｂｉｔ／ｓから１０Ｍｂｉｔ／ｓ＋２０Ｍｂｉｔ／ｓ＝３０Ｍｂｉｔ／ｓに増加されている。よって、スイッチＳＷ９、ＳＷ１０、ＳＷ１９、ＳＷ１８における送信方向の帯域制限値が図１６において後述するように増加される準備を行なうことができる。
【００６４】
図１６は、図５のステップＳ４の完了時点での帯域制限値の設定状況を示す。スイッチＳＷ９における送信方向の帯域制限値は、５Ｍｂｉｔ／ｓから１０Ｍｂｉｔ／ｓに増加されている。スイッチＳＷ１０における送信方向の帯域制限値は、１０Ｍｂｉｔ／ｓから２０Ｍｂｉｔ／ｓに増加されている。スイッチＳＷ１９における送信方向の帯域制限値は、１Ｍｂｉｔ／ｓから５Ｍｂｉｔ／ｓに増加されている。スイッチＳＷ１８における送信方向の帯域制限値は、１６Ｍｂｉｔ／ｓから３５Ｍｂｉｔ／ｓに増加されている。
【００６５】
以上のように、マルチポイント型のネットワークにおける、中継ネットワークが複数個である帯域制御システムにおいても、送信端末から受信端末への通信における帯域制限値を増加させるにあたり、送信側のスイッチにおいてフレームが通過したが受信側のスイッチにおいてフレームが破棄されたという、不適切なフレーム廃棄を防止することができる。
【００６６】
（実施形態８）
図１７は、実施形態８の帯域制御システムを示す図である。図１７の帯域制御システムは、図６の帯域制限値減少装置４として機能する帯域制御装置Ｂ３の処理内容を除いて、図３の帯域制御システムと同様である。ここで、端末Ｔ６、Ｔ９の間の通信における帯域制限値を、１０Ｍｂｉｔ／ｓから５Ｍｂｉｔ／ｓに減少させ、端末Ｔ７、Ｔ９の間の通信における帯域制限値を、２０Ｍｂｉｔ／ｓから１０Ｍｂｉｔ／ｓに減少させ、端末Ｔ８、Ｔ９の間の通信における帯域制限値を、５Ｍｂｉｔ／ｓから１Ｍｂｉｔ／ｓに減少させることが目標である。つまり、スイッチＳＷ９における送受信方向の帯域制限値を１０Ｍｂｉｔ／ｓから５Ｍｂｉｔ／ｓに減少させ、スイッチＳＷ１０における送受信方向の帯域制限値を２０Ｍｂｉｔ／ｓから１０Ｍｂｉｔ／ｓに減少させ、スイッチＳＷ１９における送受信方向の帯域制限値を５Ｍｂｉｔ／ｓから１Ｍｂｉｔ／ｓに減少させ、スイッチＳＷ１８における送受信方向の帯域制限値を１０Ｍｂｉｔ／ｓ＋２０Ｍｂｉｔ／ｓ＋５Ｍｂｉｔ／ｓ＝３５Ｍｂｉｔ／ｓから５Ｍｂｉｔ／ｓ＋１０Ｍｂｉｔ／ｓ＋１Ｍｂｉｔ／ｓ＝１６Ｍｂｉｔ／ｓに減少させることが目標である。
【００６７】
図１８及び図１９は、実施形態８の帯域制御システムの処理を示す図である。図１８は、図７のステップＳ１３の完了時点での帯域制限値の設定状況を示す。スイッチＳＷ９における送信方向の帯域制限値は、１０Ｍｂｉｔ／ｓから５Ｍｂｉｔ／ｓに減少されている。スイッチＳＷ１０における送信方向の帯域制限値は、２０Ｍｂｉｔ／ｓから１０Ｍｂｉｔ／ｓに減少されている。スイッチＳＷ１９における送信方向の帯域制限値は、５Ｍｂｉｔ／ｓから１Ｍｂｉｔ／ｓに減少されている。スイッチＳＷ１８における送信方向の帯域制限値は、３５Ｍｂｉｔ／ｓから１６Ｍｂｉｔ／ｓに減少されている。スイッチＳＷ９、ＳＷ１０、ＳＷ１９、ＳＷ１８における受信方向の帯域制限値は、減少されていない。
【００６８】
図１９は、図７のステップＳ１４の完了時点での帯域制限値の設定状況を示す。スイッチＳＷ９における受信方向の帯域制限値は、１０Ｍｂｉｔ／ｓから５Ｍｂｉｔ／ｓに減少されている。スイッチＳＷ１０における受信方向の帯域制限値は、２０Ｍｂｉｔ／ｓから１０Ｍｂｉｔ／ｓに減少されている。スイッチＳＷ１９における受信方向の帯域制限値は、５Ｍｂｉｔ／ｓから１Ｍｂｉｔ／ｓに減少されている。スイッチＳＷ１８における受信方向の帯域制限値は、３５Ｍｂｉｔ／ｓから１６Ｍｂｉｔ／ｓに減少されている。
【００６９】
ここで、端末Ｔ６、Ｔ９の間の通信における帯域制限値が１０Ｍｂｉｔ／ｓから５Ｍｂｉｔ／ｓに減少され、端末Ｔ７、Ｔ９の間の通信における帯域制限値が２０Ｍｂｉｔ／ｓから１０Ｍｂｉｔ／ｓに減少されることを考慮して、スイッチＳＷ１２、ＳＷ１３、ＳＷ１６、ＳＷ１７における両方向の帯域制限値が１０Ｍｂｉｔ／ｓ＋２０Ｍｂｉｔ／ｓ＝３０Ｍｂｉｔ／ｓから５Ｍｂｉｔ／ｓ＋１０Ｍｂｉｔ／ｓ＝１５Ｍｂｉｔ／ｓに減少されている。つまり、図７のステップＳ１４の完了以前では、スイッチＳＷ１２、ＳＷ１３、ＳＷ１６、ＳＷ１７における両方向の帯域制限値は減少されていない。よって、図７のステップＳ１３、Ｓ１４の間において、送信側の端末から受信側の端末への通信時間と同程度の時間を確保することにより、図７のステップＳ１３の完了以前に送信されたフレームは、中継ネットワークＮ３、Ｎ６、Ｎ４において滞留していても、中継ネットワークＮ３、Ｎ６、Ｎ４において不適切に廃棄されることがない。
【００７０】
以上のように、マルチポイント型のネットワークにおける、中継ネットワークが複数個である帯域制御システムにおいても、送信端末から受信端末への通信における帯域制限値を減少させるにあたり、送信側のスイッチにおいてフレームが通過したが受信側のスイッチにおいてフレームが破棄されたという、不適切なフレーム廃棄を防止することができる。
【００７１】
（実施形態９）
実施形態９では、図３において、一の組み合わせの端末間の通信における帯域制限値を増加させるが、他の組み合わせの端末間の通信における帯域制限値を減少させる。帯域制御装置Ｂ３は、図８の帯域制限値増加装置３及び帯域制限値減少装置４として機能する。帯域制御装置Ｂ３は、当該他の組み合わせの端末間の通信における帯域制限値を減少させた後に、当該一の組み合わせの端末間の通信における帯域制限値を増加させる。
【００７２】
以上のように、マルチポイント型のネットワークにおける、中継ネットワークが複数個である帯域制御システムにおいても、帯域制限値を過度に大きくしないで済ませることができる。
【産業上の利用可能性】
【００７３】
本発明に係る帯域制御システム、帯域制限値設定装置及び帯域制限値設定プログラムは、通信回線の契約帯域を柔軟に増減させる必要性がある、送受信装置間のネットワークや送受信装置間のネットワークの集合体である広域イーサネット（登録商標）ネットワークなどのマルチポイント型のネットワークに適用することができる。
【符号の説明】
【００７４】
Ｔ１〜Ｔ１４：端末
Ｎ１：ネットワーク
Ｎ２〜Ｎ６：中継ネットワーク
Ｂ１〜Ｂ３：帯域制御装置
ＳＷ１〜ＳＷ４：ＡＴＭスイッチ
ＳＷ５〜ＳＷ２０：スイッチ
Ｖ：バーチャルパス
ＣＮ１、ＣＮ２：監視制御用ネットワーク
１、２、５、６、７：スイッチ
３：帯域制限値増加装置
４：帯域制限値減少装置
８：帯域制限値設定順序決定装置
１１：送信側帯域制御装置
２１：受信側帯域制御装置
５１：第１受信側帯域制御装置
５２：第２送信側帯域制御装置
６１：第２受信側帯域制御装置
７１：第１送信側帯域制御装置
【図１】
0005342519.tif 000002
【図２】
0005342519.tif 000003
【図３】
0005342519.tif 000004
【図４】
0005342519.tif 000005
【図５】
0005342519.tif 000006
【図６】
0005342519.tif 000007
【図７】
0005342519.tif 000008
【図８】
0005342519.tif 000009
【図９】
0005342519.tif 000010
【図１０】
0005342519.tif 000011
【図１１】
0005342519.tif 000012
【図１２】
0005342519.tif 000013
【図１３】
0005342519.tif 000014
【図１４】
0005342519.tif 000015
【図１５】
0005342519.tif 000016
【図１６】
0005342519.tif 000017
【図１７】
0005342519.tif 000018
【図１８】
0005342519.tif 000019
【図１９】
0005342519.tif 000020